(57)【要約】
【課題】  複数の異なるタイプのメモリカードを挿入可能な押して制御する二層式のメモリカードコネクタを提供する。
【解決手段】  Ｕ字形状の絶縁ベース後端に２列の接続端子セット２、３を前方までに伸ばして設け、前方両側のアームの間に、一つの軸方向へ滑って移動できるメモリカードのスライドベース４を設ける。スライドベースは二つの側板４１を備え、側板の外部にコンベックスレール４２を設けて絶縁ベースと組み立てる。又、二つの側板４１の間に一つの横の仕切り板４３を設け、その中の一つの横の仕切り板には外部で絶縁ベースと組み立てるロックを押す装置６が設けられている。これで、横の仕切り板の上、下空間に異なるメモリカードを挿入可能とする。更にメモリカードを押して制御することで、２列の端子セットの中での１列のメモリカードとそれぞれ接続するコネクタである。
【選択図】    図１
0003101072.tif 000002
【実用新案登録請求の範囲】
【請求項１】
二層式のメモリカードコネクタであって、
絶縁ベース、接続端子セット、メモリカードのスライドベース、アッパーカバー及びロックを押す装置で構成され、絶縁ベースはＵ字形状のベースであり、その両側にそれぞれ一つのガイドアームが設けられ、その後方に配列形状を呈する端子スロットが設けられ、接続端子セットは一定数の接続端子をそれぞれ端子スロットの中に挿入して設けることで構成され、そのメモリカードのスライドベースは、絶縁ベースの二つのガイドアームの間に設けられる軸方向へ滑って移動するベースであり、アッパーカバーは絶縁ベースに覆って設けられた金属プレートであり、ロックを押す装置は、メモリカードのスライドベースの移動を制御し、そのメモリカードを接続端子セットと定位して接触させ、又は離脱させる装置であり、
その絶縁ベースの各ガイドアームの内側面に、一つの軸方向へ伸びる接続スロットが設けられ、その後方に２列の配列形状を呈する端子スロットが設けられ、接続端子セットを２セット選んで、２列の配列形状を呈する端子スロットの中にそれぞれ挿入して設け、メモリカードのスライドベースの両側にそれぞれ一つの側板が形成され、各側板の外側に一つのコンベックスレールを設けることで、ガイドアームの接続スロットと嵌めてから滑って移動可能となり、各側板の内側面の間に１枚の横の仕切り板を跨って設け、その横の仕切り板による上、下の挿入空間を分けることで、ロックを押す装置によるメモリカードのスライドベースを常態で絶縁ベースの前方に置かせ、メモリカードのスライドベースの横の仕切り板での上、下挿入空間に、異なるメモリカードを挿入することで、メモリカードを制御して、２列の接続端子セットにそれぞれ接続するメモリカードのコネクタが構成されることを特徴とする押して制御する二層式のメモリカードコネクタ。
【請求項２】
一つの接続端子セットは１０本の接続端子で構成され、ＤＵＯメモリバーを挿入することに提供され、別の一つの接続端子セットは９本の接続端子で構成することで、ＳＤメモリカードを挿入することに提供されることを特徴とする請求項１記載の押して制御する二層式のメモリカードコネクタ。
【請求項３】
ロックを押す装置は、絶縁ベースのガイドアームの前端に一つの定位穴を設けることで、１本の逆Ｕ字形状の制動ロッド前端をその上に挿入し、メモリカードのスライドベース上一つの側板の外部に一つのコンベックスベースを設けて、又、そのコンベックスベースの上にスロットを設けることで、１本の逆Ｕ字形状の制動ロッドの後端をその上に挿入し、又、そのコンケーブベースの下方に、一つの弾性ユニットを設けることで、メモリカードのスライドベースを常態で絶縁ベースの前に固定し、そのアッパーカバーの上に１枚の圧締めプレートを設けて、逆Ｕ字形状の制動ロッドを下へ押すことで脱落を防止し、メモリカードのスライドベースを移動する場合、その制動ロッドの後端をスロットの中に滑って移動する構造かあるいは制動する構造が構成されることを特徴とする請求項１記載の押して制御する二層式のメモリカードコネクタ。
【考案の詳細な説明】
【技術分野】
【０００１】
本考案は、押して制御する二層式のメモリカードコネクタの設計に関する。
【背景技術】
【０００２】
従来のメモリカードのコネクタは多種のタイプがある。例えば、使用者が直接メモリカードを挿入及び取り出すコネクタの形態、及びそのサイドに１本の押すロッドを設けて、内部にある金属押しプレートを制御することで、メモリカードを押し出すコネクタの形態がある。その中に、ある形態のメモリカードのコネクタは、一つのＵ字形状の絶縁ベースの両側のアームの中間に１個のスライドベースを設け、そのスライドベースはプラスチック製の中空のケースであり、その中間に１枚のメモリカードを挿入できる入れスロット部を設けることで、その絶縁ベースと組み立てて軸方向へ滑って移動可能となる。又、その絶縁ベースとスライドベースの間に一つのロック装置を設けることで、１枚のメモリカードをスライドベースに挿入した後、そのスライドベースを押して縮めてから定位することで、メモリカードを端子と接触させるし、改めてそのメモリカードを押すことで、そのスライドベースを制御してメモリカードを取り出せる形態である。
【考案の開示】
【考案が解決しようとする課題】
【０００３】
しかしながら、従来のこの押す方式によるメモリカードの挿入又は取り出すことを制御するコネクタの形態は、１枚のメモリカードを挿入しかできないので、異なるタイプのメモリカードを挿入できない。現在の状況はメモリカードの規格が統一されていないので、それぞれのメモリカードの製造会社が各自で研究開発及び設計する状況である。例えば、競争の激しいＳＤメモリカード及びＤＵＯメモリバーについて、電子製品の製造会社が製品の拡大できる効果を設計できないし、使用者がいつも一つの電子製品に異なるメモリカードを応用できないので、電子製品の製造会社と使用者にとっては、すべて不利になるのである。
【０００４】
したがって本考案の目的は、複数の異なるタイプのメモリカードを挿入可能な押して制御する二層式のメモリカードコネクタを提供することにある。
【課題を解決するための手段】
【０００５】
上述の目的を達成するために本考案の請求項に記載の押して制御する二層式のメモリカードコネクタは、押して制御する二層式のメモリカードコネクタに関するものである。それはＵ字形状の絶縁ベースの後端に２列の端子セットを前方まで伸びて設けるし、その前方の両側のアームの間に一つの軸方向へ滑って移動できるメモリカードのスライドベースを設けてある。又、そのメモリカードのスライドベースに二つの側板があり、その二つの両側に１枚の横の仕切り板を設けてある。その中での１枚の横の仕切り板の外部に、絶縁ベースと組み立てて構成されたロックを押す装置を設けることで、横の仕切り板の上、下の空間に異なるメモリカードを挿入できるし、メモリカードを押して制御することで、２列の端子セットの中での１列のメモリカードとそれぞれ接続するコネクタである。
【考案を実施するための最良の形態】
【０００６】
以下、本考案の実施例を図面に基づいて説明する。
図１から図３に示すように、本考案の実施例による押して制御する二層式のメモリカードコネクタは、一つの絶縁ベース１、接続端子セット２、接続端子セット３、一つのメモリカードのスライドベース４、一つのアッパーカバー及び一つのロックを押す装置で構成される。
【０００７】
絶縁ベース１は、絶縁の材質を使って、一体で製造されたＵ字形状のベースであり、その両側にそれぞれ一つのガイドアーム１１が設けられる。各ガイドアーム１１の内側面に、一つの軸方向へ伸びる接続スロット１２を設けることで、メモリカードのスライドベース４の取り付けることに提供される。又、その絶縁ベース１の後上方にあるベースに、２列の配列形状を呈する複数個の端子スロット１３を設けている。更に、各端子スロット１３を軸方向へ絶縁ベース１の後部まで貫通して設けることで、接続端子セット２、接続端子セット３がその上に貫通して固定可能である。又、その二つのガイドアーム１１の外側に需要による複数個のリバースフックブロック１４及び１個のインサートスロット１５を設けられるので、そのリバースフックブロック１４でアッパーカバー５を固定可能であり、そのインサートスロット１５に接地プレート１６をインサートして設けることで、そのコネクタに遮蔽（ｓｈｉｅｌｄｉｎｇ）及び接地（ｇｒｏｕｎｄｉｎｇ）の電磁気干渉を排除する効果を持たせるのである。
【０００８】
接続端子セット２、接続端子セット３は異なるタイプのＳＤメモリカード及びＤＵＯのメモリバーのそれぞれ使用することを提供可能な金属材質の伝送媒体である。それは一定数の接続端子２１、接続端子３１で構成され、その中での一つの接続端子セット２は、１０本の接続端子２１でＤＵＯメモリバーの伝送媒体が構成されている。又、別一つの接続端子セット３は９本の接続端子３１でＳＤメモリカードの伝送媒体が構成されている。又、各接続端子２１、接続端子３１の形状について、その前端に一つのくの字形状の接触端２２、接触端３２を曲げて設けることで、メモリカード（メモリバー）と弾性で接触可能とする。その後端に一つの接地端２３、接地端３３を設けることで、電気回路ボードと溶接する。
【０００９】
メモリカードのスライドベース４は絶縁材質で製造されたベースであり、その両側にそれぞれ一つの側板４１を形成している。又、各側板４１の外側に一つのコンベックスレール４２を設けて、各側板４１の内側面に１枚の横の仕切り板４３が跨って設けられ、その横の仕切り板４３による、上、下の挿入空間Ａ、Ｂが区分けされ、ＳＤメモリカード及びＤＵＯメモリバーをそれぞれその中に入ることが可能である。
【００１０】
アッパーカバー５は一体でプレスして曲げて設けられた逆Ｕ字形状の金属プレートであり、少なくともその二つの側壁５１の上に、絶縁ベース１とキャッチ可能なキャッチホール５２が設けられ、その上に１枚のメモリカード（メモリバー）を下へ押す弾性プレート５３が設けられている。
【００１１】
ロックを押す装置６によるメモリカード（メモリバー）を制御して、接続端子セット２、３と定位して接触させ、又は離脱させる装置である。それは絶縁ベース１での一つのガイドアーム１１の前端に一つの定位穴６１を設けることで、１本の逆Ｕ字形状の制動ロッド６２前端をその上に挿入する。メモリカードのスライドベース４での一つの側板４１の外部に一つのコンベックスベース６３を設けて、又、そのコンベックスベース６３の上にスロット６４を設けることで、１本の逆Ｕ字形状の制動ロッド６２後端をその上に挿入し、移動又は固定可能な構造が構成される。又、そのコンケーブベース６３の下方に、一つの圧縮して出されることで構成する弾性ユニットを設け、メモリカードのスライドベース４を常態で絶縁ベース１の前に固定し、別にアッパーカバー５のあるサイドカバーの上に、１枚の圧締めプレート６６を設けて、逆Ｕ字形状の制動ロッド６２を下へ押すことで脱落を防止する。
【００１２】
図２から図４に示すように、二つの接続端子セット２、接続端子セット３をそれぞれ絶縁ベースでの２列の端子セット１３に挿入して設けることで、くの字形状の接触端２２、接触端３２を二つのガイドアーム１１の間での適切な所に置かせる。その後段の接地端２３、接地端３３をその絶縁ベース１の底面まで伸ばし、一つのメモリカードのスライドベース４を絶縁ベース１のガイドアーム１１の間に設けて、コンベックスレール４２を利用して、接続スロット１２に嵌めることで、メモリカードのスライドベース４を軸方向へ滑って移動可能とする。ロックを押す装置６及び弾性ユニット６５により、メモリカードのスライドベース４を常態で絶縁ベース１の前方に定位されるし、アッパーカバー５を絶縁ベース１の上に覆って設けることで、横の仕切り板４３に上、下の挿入空間Ａ、Ｂが形成されたので、その上に異なるメモリカードを挿入可能である。更に、メモリカードを押すことで、それぞれ２列の端子セット２、端子セット３の中での１列のメモリカードと接続するメモリカードのコネクタが構成される。
【００１３】
又、図６及び図７に示すように、上述のスロット６４の構造は、Ｙ形状と類似した形状であり、その上に一つのストレートスロット６４１及び二つの交差スロット６４２、交差スロット６４３（図６及び図７の通り）が設けられている。その中での一つの交差スロット６４２の底面に一つの止めブロック６４４が設けられ、そのスロットの端部の内縁に一つのより深い入り換えスロット６４５を設け、別一つの交差スロット６４３端部の内縁により深い入り換えスロット６４６を設けることで、その二つの入り換えスロット６４５、入り換えスロット６４６は交差してキャッチ部６４７が形成され、制動ロッド６２をスロット６４の中に移動又は固定可能な構造が構成される。
【００１４】
本考案の構造形態を運用する設計は、メモリカードのスライドベース４を絶縁ベース１での２列の接続端子セット２、接続端子セット３と合わせる。特に、横の仕切り板４３を絶縁ベース１での２列の接続端子セット２、接続端子セット３と合わせ、ロックを押す装置６の設置に合わせることで、異なるタイプのメモリカードに通用可能である。例えば、上の挿入空間Ａを利用して、接続端子セット２と合わせることで、ＤＵＯメモリバー７０をその中に挿入して接続可能である（図４の通り）。下の挿入空間Ｂを利用して、接続端子セット３と合わせることで、ＳＤメモリカード８０をその中に挿入して接続可能である（図５の通り）。製造者及び消費者が電子製品のメモリ装置として、自由にメモリカード又はメモリバーを選定可能である。又、ロックを押す装置６と組み立てて設置することにより、そのコネクタに押して制御する方式で、メモリカードを便利に挿入及び取り出せる機能を持たせることで、もっと実用及び進歩の効果を達成可能とする。
【００１５】
本実施例によるメモリカードのスライドベース４及びロックを押す装置６の操作方式について、メモリカード（メモリバー）を挿入していない場合、ロックを押す装置６の弾性ユニット６５の張力を利用して、そのメモリカードのスライドベース４は常態で絶縁ベース１の前方に定位される（図６及び図７の通り）。又、そのメモリカード（メモリバー）を選定した上又は下の挿入空間Ａ、Ｂの中に挿入した後、指の押す力でメモリカード（メモリバー）及びメモリカードのスライドベース４を制御して、それを絶縁ベース１の中に縮めさせるので、その時、ロックを押す装置６の制動ロッド６２の後端部は、止めブロック６４４を経由してから交差スロット６４２（図８Ａの通り）に移動する。上述のように、その押す力を弛める時、制動ロッド６２の後端部を入り換えスロット６４５に経由してから、キャッチ部６４７（図８Ｂの通り）にキャッチすることで、メモリカードのスライドベース４を定位可能とする。そのメモリカード（メモリバー）は接続端子セット２、接続端子セット３と接続可能となる。逆に、メモリカード（メモリバー）を取り出す場合、改めて指でメモリカード（メモリバー）を押して、メモリカードのスライドベース４を押すことで、制動ロッド６２の後端部を入り換えスロット６４６に経由してから、別一つの交差スロッ６４３（図８Ｃの通り）に移動してから、手を弛めて、弾性ユニット６５よりメモリカードのスライドベース４及びメモリカード（メモリバー）を押し出すことで、制動ロッド６２の後端部を交差スロッ６４３に経由してから元の位置に戻す。押す操作で便利に挿入及び取り出す効果を達成可能とする。
【００１６】
本実施例により、メモリカードのスライドベースを絶縁ベースと組み立てる構造、及びメモリカードのスライドベースの上、下の横の仕切り板を接続端子セットと組み立てる形態、及びロックを押す装置６の設置に合わせる設計で、異なるタイプのメモリカードに共用可能とし、カードを便利に挿入及び取り出せる機能を備えるコネクタが構成されたのである。
【００１７】
本実施例は一つのＵ字形状の絶縁ベース後端に２列の接続端子セットを前方までに伸ばして設けた。更に、その前方両側のアームの間に、一つの軸方向へ滑って移動できるメモリカードのスライドベースを設ける。そのメモリカードのスライドベースに二つの側板を備え、その側板の外部にコンベックスレールを設けて絶縁ベースと組み立てる。又、その二つの側板の間に一つの横の仕切り板を設け、その中の一つの横の仕切り板を外部で絶縁ベースと組み立てるロックを押す装置が設けられている。これで、横の仕切り板の上、下空間に異なるメモリカードを挿入可能とする。更にメモリカードを押して制御することで、２列の端子セットの中での１列のメモリカードとそれぞれ接続するコネクタである。
【図面の簡単な説明】
【００１８】
【図１】本考案の実施例による押して制御する二層式のメモリカードコネクタを示す分解状態の立体図である。
【図２】本考案の実施例による押して制御する二層式のメモリカードコネクタを示す構成状態の立体図である。
【図３】本考案の実施例による押して制御する二層式のメモリカードコネクタを示す構成状態の上面図である。
【図４】本考案の実施例による押して制御する二層式のメモリカードコネクタにＤＵＯメモリバーを挿入して設ける説明図である。
【図５】本考案の実施例による押して制御する二層式のメモリカードコネクタにＳＤメモリカードを挿入して設ける説明図である。
【図６】本考案の実施例による押して制御する二層式のメモリカードコネクタのロックを押す装置を示す上面図である。
【図７】本考案の実施例による押して制御する二層式のメモリカードコネクタのロックを押す装置を示す断面図である。
【図８Ａ】本考案の実施例による押して制御する二層式のメモリカードコネクタのロックを押す装置の動作説明図である。
【図８Ｂ】本考案の実施例による押して制御する二層式のメモリカードコネクタのロックを押す装置の動作説明図である。
【図８Ｃ】本考案の実施例による押して制御する二層式のメモリカードコネクタのロックを押す装置の動作説明図である。
【図８Ｄ】本考案の実施例による押して制御する二層式のメモリカードコネクタのロックを押す装置の動作説明図である。
【符号の説明】
【００１９】
１  絶縁ベース、２  接続端子セット、３  接続端子セット、４  メモリカードのスライドベース、５  アッパーカバー、６  ロックを押す装置、１１  ガイドアーム、１２  接続スロット、１３  端子スロット、１４  リバースフックブロック、１５  インサートスロット、１６  接地プレート、２１  接続端子、２２  接触端、２３  接地端、４１  側板、４２  コンベックスレール、４３  横の仕切り板、５１  側壁、５２  キャッチホール、５３  弾性プレート、６１  定位穴、６２  制動ロッド、６３  コンベックスベース、６４  スロット、６５  弾性ユニット、６６  圧締めプレート、７０  メモリバー、８０  メモリカード、６４１  ストレートスロット、６４２  交差スロット６４２、６４４  止めブロック、６４５  入り換えスロット、６４７  キャッチ部、Ａ  上の挿入空間、Ｂ  下の挿入空間Ｂ
【図１】
0003101072.tif 000003
【図２】
0003101072.tif 000004
【図３】
0003101072.tif 000005
【図４】
0003101072.tif 000006
【図５】
0003101072.tif 000007
【図６】
0003101072.tif 000008
【図７】
0003101072.tif 000009
【図８Ａ】
0003101072.tif 000010
【図８Ｂ】
0003101072.tif 000011
【図８Ｃ】
0003101072.tif 000012
【図８Ｄ】
0003101072.tif 000013